(57)【要約】【課題】敷台、皿、密封蓋、容器など他用途に利用できるシリコーンゴム製のプレートを提供する。【解決手段】上部が開口した椀形状であって、その内径が開口部から下方に向かって縮径するシリコーンゴム製の本体部２０と、前記本体部の側面の円周方向に形成した上下２つの環状の第一薄肉部３０及び第二薄肉部４０とを備え、前記各薄肉部を屈曲させることで、前記本体部のうち当該薄肉部よりも下方の部分を内側に折り畳み自在になっている。【選択図】図１
0003172214.tif 000002
【実用新案登録請求の範囲】
【請求項１】
上部が開口した有底形状であって、水平面内における断面の面積が下方に向かって小さくなっていくシリコーンゴム製の本体部と、前記本体部の側面の水平面内に形成した上下２つの第一薄肉部及び第二薄肉部とを備え、
前記各薄肉部を屈曲させることで、前記本体部のうち当該薄肉部よりも下方の部分を内側に折り畳み自在であることを特徴とする多機能プレート。
【請求項２】
前記断面の形状が円形状、楕円形状及び多角形状のうちの一つであることを特徴とする請求項１に記載の多機能プレート。
【請求項３】
上部が開口した椀形状であって、その内径が開口部から下方に向かって縮径するシリコーンゴム製の本体部と、前記本体部の側面の円周方向に形成した上下２つの環状の第一薄肉部及び第二薄肉部とを備え、
前記各薄肉部を屈曲させることで、前記本体部のうち当該薄肉部よりも下方の部分を内側に折り畳み自在であることを特徴とする多機能プレート。
【請求項４】
前記本体部の底部に台座を備えることを特徴とする請求項１〜３のいずれか一項に記載の多機能プレート。
【請求項５】
前記本体部の一方の面が平滑面であり、他方の面が粗面であることを特徴とする請求項１〜４のいずれか一項に記載の多機能プレート。
【請求項６】
前記第一薄肉部及び第二薄肉部のうち少なくとも一方を屈曲させることで敷台、皿、蓋及び容器として利用可能であることを特徴とする請求項１〜５のいずれか一項に記載の多機能プレート。
【考案の詳細な説明】
【技術分野】
【０００１】
本考案は、例えば敷台、皿、密封蓋、容器など多用途に利用できるシリコーンゴム製のプレートに関する。
【背景技術】
【０００２】
シロキサン結合(Si-O-Si)を主骨格にもつシリコーンゴム（単に「シリコーン」と呼ぶ場合もある）は化学的に安定で酸化・分解されにくいため耐熱・耐寒性、対候性、撥水性等に優れ、また、熱伝導性が低い、滑りにくい、臭いが少ない、弾性変形可能という特性が知られており、このような特性を活かした日用製品が種々開発されている。
【０００３】
具体的には、表面に滑り防止の突起を備えた盆（特許文献１）、取っ手を備えた蓋（特許文献２）、食材の水切りや電子レンジ使用時の台として使用できる調理用パッド（特許文献３）等が知られている。
【先行技術文献】
【特許文献】
【０００４】
【特許文献１】実公平０７−４８１３１号公報
【特許文献２】実用新案登録第３１４３３４３号公報
【特許文献３】実用新案登録第３１７０２５８号公報
【考案の概要】
【考案が解決しようとする課題】
【０００５】
しかし、上述したような従来のシリコーンゴム製品では以下のような問題がある。
すなわち、各製品はそれぞれ単独の用途でしか使用できないため、需要者は用途毎に製品を購入する必要があり、購入費用が嵩むという問題、各製品の保管場所に困るという問題、さらには省エネルギーの観点から好ましくないという問題がある。
【０００６】
本考案は上記問題に鑑み、敷台、皿、密封蓋、容器など他用途に利用できるシリコーンゴム製のプレートを提供することを目的とする。
【課題を解決するための手段】
【０００７】
本考案の多機能プレートは、上部が開口した有底形状であって、水平面内における断面の面積が下方に向かって小さくなっていくシリコーンゴム製の本体部と、前記本体部の側面の水平面内に形成した上下２つの第一薄肉部及び第二薄肉部とを備え、前記各薄肉部を屈曲させることで、前記本体部のうち当該薄肉部よりも下方の部分を内側に折り畳み自在であることを特徴とする。
また、前記断面の形状が円形状、楕円形状及び多角形状のうちの一つであることを特徴とする。
また、上部が開口した椀形状であって、その内径が開口部から下方に向かって縮径するシリコーンゴム製の本体部と、前記本体部の側面の円周方向に形成した上下２つの環状の第一薄肉部及び第二薄肉部とを備え、前記各薄肉部を屈曲させることで、前記本体部のうち当該薄肉部よりも下方の部分を内側に折り畳み自在であることを特徴とする。
また、前記本体部の底部に台座を備えることを特徴とする。
【０００８】
また、前記本体部の一方の面が平滑面であり、他方の面が粗面であることを特徴とする。
また、前記第一薄肉部及び第二薄肉部のうち少なくとも一方を屈曲させることで敷台、皿、蓋及び容器として利用可能であることを特徴とする。
【考案の効果】
【０００９】
本考案の多機能プレートは、各薄肉部を適宜屈曲させてシリコーンゴム製の本体部を折り畳むことで敷台、皿、密封蓋、容器などの他用途に利用できる。したがって、用途毎に製品を購入する必要がなく、購入費用の抑制や省エネルギーに寄与できる。また、複数の多機能プレートを重ねて収容できるので保管スペースを小さくできる。
特に、本体部の水平面内における断面の面積が下方に向かって小さくなっていく、又は、本体部の内径が開口部から下方に向かって縮径するので、多機能プレートを密封蓋として使用するべく、第一薄肉部と第二薄肉部の両者を屈曲させた場合には、開口部から第一薄肉部までの側壁、第一薄肉部から第二薄肉部までの側壁及び第二薄肉部から本体部の底までの側壁の全てが鉛直線に対して傾斜することになる。
使用時には、容器の上縁部を当該容器の断面形状に応じて３つの側壁のいずれかに接触させて押さえつけることで、側壁を弾性変形により容器の上縁部に密着させて嵌め込むことになる。換言すると、各側壁が鉛直線に対して傾斜していることから、容器の上縁部の断面形状がこれら３つの側壁のいずれかに接触できる程度の大きさであれば多機能プレートを密封蓋として使用することができ、一つの多機能プレートで様々な断面形状の容器に対応可能となる。
【図面の簡単な説明】
【００１０】
【図１】多機能プレートの外観を示す側面図
【図２】多機能プレートの外観を示す上部斜視図
【図３】多機能プレートの外観を示す下部斜視図
【図４】第一薄肉部のみを屈曲させた状態を示す側面図
【図５】第二薄肉部のみを屈曲させた状態を示す側面図
【図６】第一薄肉部と第二薄肉部を屈曲させた状態を示す側面図
【図７】第一薄肉部と第二薄肉部を屈曲させた状態を示す上部斜視図
【図８】第一薄肉部と第二薄肉部を屈曲させた状態を示す下部斜視図
【図９】図６の縦断面図
【図１０】皿としての使用例を示す上部斜視図
【図１１】密封蓋としての使用例を示す上部斜視図
【図１２】密封蓋としての使用例を示す縦断面図
【図１３】容器としての使用例を示す縦断面図
【図１４】収納状態を示す上部斜視図
【考案を実施するための形態】
【００１１】
本考案の多機能プレートについて図面を用いて説明する。なお、本考案の多機能プレートには本来上下は存在しないが、便宜上、図１に示すように、多機能プレート１０を折り畳まずに開口部２１が上側に開いた状態を基準にして説明する。
図１〜図３に示すように、本考案の多機能プレート１０は本体部２０、第一薄肉部３０、第二薄肉部４０及び台座５０を備える。
本体部２０は上部が開口した椀形状のシリコーンゴム製であり、その内径は開口部２１から下方に向かって次第に縮径していき、その下部には円形の底２２が形成されている。
【００１２】
また、本体部２０の内面２３は光沢がある平滑面となっており、外面２４は艶消しの粗面となっている。
本体部２０の上縁部には外側に僅かに突出してフランジ２５が形成されている。フランジ２５は開口部２１の形状を平面視ほぼ円形状に維持しておくと共に開口部２１の強度を確保するために設けている。
【００１３】
第一薄肉部３０は本体部２０の側面の円周方向に環状に形成されている。第一薄肉部３０では肉厚が上方から下方に向かうにしたがって次第に薄くなっていき、最も薄くなる箇所（最薄部３１）に至り、最薄部３１から更に下方に向かうにしたがって次第に厚くなる。したがって、図１に示すように本体部２０を側面視した場合に本体部２０の外面２４は第一薄肉部３０において、最薄部３１に向かって内側に窪んだ形状になっている。また、本体部２０の内面２３は第一薄肉部３０において最薄部３１に向かって外側に僅かに窪んだ形状になっている。
図４は、図１の状態から第一薄肉部３０のみを屈曲させることで、本体部２０のうち第一薄肉部３０よりも下方の部分を内側に折り畳んだ状態を示している。この状態では第一薄肉部３０のうち内面側が谷になり、外面側が山になる。
【００１４】
第二薄肉部４０は第一薄肉部３０よりも下方位置において本体部２０の側面の円周方向に環状に形成されている。第二薄肉部４０も第一薄肉部３０と同様に肉厚が上方から下方に向かうにしたがって次第に薄くなっていき、最も薄くなる箇所（最薄部４１）に至り、最薄部４１から下方に向かうにしたがって次第に厚くなる。したがって、図１に示すように本体部２０を側面視した場合に本体部２０の外面２４は第二薄肉部４０において最薄部４１に向かって内側に窪んだ形状になっている。また、本体部２０の内面２３は第二薄肉部４０において最薄部４１に向かって外側に僅かに窪んだ形状になっている。
図５は、図１の状態から第二薄肉部４０のみを屈曲させることで、本体部２０のうち第二薄肉部４０よりも下方の部分を内側に折り畳んだ状態を示している。この状態では第二薄肉部４０のうち内面側が谷になり、外面側が山になる。
【００１５】
また、図６は、図１の状態からまず第一薄肉部３０のみを屈曲させることで図４に示す状態にした後、第二薄肉部４０のみを屈曲させた状態を示している。この状態では第一薄肉部３０は内面側が谷、外面側が山になり、第二薄肉部４０は内面側が山、外面側が谷になる。図７は図６に示した多機能プレート１０を上側から見た斜視図であり、図８は下側から見た斜視図である。
なお、図６に示す状態に変形させる際には、必ずしも上述のように第一薄肉部３０を屈曲させた後に第二薄肉部４０を屈曲させる必要はなく、第二薄肉部４０を屈曲させた後に第一薄肉部３０を屈曲させてもよく、あるいは両薄肉部３０、４０を同時に屈曲させてもよい。
【００１６】
また、図９の縦断面図に示すように、第一薄肉部３０と第二薄肉部４０の両者を屈曲させた状態では第一薄肉部３０が下方に突起した環状の外側環状片６０と、第二薄肉部４０が上方に突起した内側環状片６１が形成される。
また、以下の説明においては外側環状片６０を構成する２つの部位のうち外側に位置するものを第一側壁６２、内側に位置するものを第二側壁６３とし、内側環状片６１を構成する部位のうち内側に位置するものを第三側壁６４とする。すなわち、外側環状片６０は第一側壁６２と第二側壁６３を第一薄肉部３０で接合することで構成され、内側環状片６１は第二側壁６３と第三側壁６４を第二薄肉部４０で接合することで構成されることになる。なお、実際の製造工程ではこれら各側壁６２〜６４は一体的に成形される。
上述の通り、本体部２０の内径は開口部２１から下方に向かって次第に縮径していることから、第一薄肉部３０と第二薄肉部４０を屈曲させた場合には、第一、第二及び第三側壁６２〜６４はそれぞれ鉛直線Ｌに対して傾斜することになり、外側環状片６０と内側環状片６１はそれぞれ第一薄肉部３０と第二薄肉部４０を頂点とする山型になる。
【００１７】
台座５０は本体部２０の外面２４の下部に形成されている。実際の製造工程では本体部２０と台座５０は一体成形される。台座５０は多機能プレート１０を図１に示すような容器として使用する場合に、底２２の強度を高めることで、内部に食品等を入れた場合の底２２の変形を防止すると共に、テーブル等に安定的に載置するために設けている。
【００１８】
次に、多機能プレート１０の使用方法について説明する。
［敷台としての使用］
多機能プレート１０を、皿などを電子レンジ等に入れる際の敷台として使用する場合は、例えば図６〜図８に示したように、第一薄肉部３０と第二薄肉部４０の両者を屈曲させた状態にすればよい。この場合、本体部２０の底２２と、底２２の周縁部から立ち上がる第三側壁６４によって窪みが形成されるので、皿が比較的小型の場合は、この窪みに皿や皿の台座を嵌め込めばよく、皿が比較的大型の場合は皿の底をフランジ２５の上あるいは第二薄肉部４０の上に載せればよい。こうすることで、シリコーンゴムが有する滑りにくいという特性を活かして、皿を多機能プレート１０上に安定的に載置することができる。
【００１９】
また、電子レンジ等で過熱した後は、皿自体は高温になっていることが多いが、シリコーンゴムは熱伝導性が低いことから、多機能プレート１０の外側環状片６０やフランジ２５付近を掴んだり、多機能プレート１０の底２２を掌に乗せることで電子レンジ等から容易に取り出すことができ、火傷を防止できる。
特に、第一側壁６２と第二側壁６３の間、第二側壁６３と第三側壁６４の間、皿の底と多機能プレート１０の底２２の間に形成される各空気層によって皿からの熱の伝達が阻害されるので多機能プレート１０を掴んでいる手に熱が伝わることがほとんどない。
【００２０】
また、皿を載せた状態の多機能プレート１０を電子レンジ等から取り出した後、食卓のテーブル等に置く場合にもシリコーンゴムの特性を活かした滑りにくい敷台として利用できる。
また、多機能プレート１０の表面が粗面になっているので手で掴む際に滑りにくいという効果を得られる。
なお、図９に示すように、台座５０の下面と第一薄肉部３０の下面とが同一平面上に並ぶようにすることで、多機能プレート１０をテーブル等に置いた際に台座５０の下面と第一薄肉部３０の下面がテーブルに接触するので、皿の重量による多機能プレート１０の変形を抑えて安定度を向上させることができる。
【００２１】
［皿としての使用］
多機能プレート１０を、食品を電子レンジ等に入れて加熱調理する際の皿として使用する場合は、例えば上記敷台として使用する場合と同様に第一薄肉部３０と第二薄肉部４０の両者を屈曲させることで、図１０に示すように本体部２０の底２２と第三側壁６４によって形成される窪みに食品Ｆを載置すればよい。
この場合も上記敷台として利用する場合と同様に、手への熱の伝達を抑えることができると共に手で掴む際に滑りにくく、テーブル上でも滑りにくい皿として利用できる。
また、平滑面に食品Ｆを載せることになるので、撥水性が高いというシリコーンゴムの特性を活かして、洗浄時に水分や油等の汚れを容易に落とすことができる。
【００２２】
［密封蓋としての利用］
多機能プレート１０を、図１１に示すような容器Ｄの密封蓋として使用する場合は、上記敷台や皿として使用した状態、すなわち図６〜図８に示した第一薄肉部３０と第二薄肉部４０の両者を屈曲させた状態にすればよい。
容器の上縁部Ｄ１の径が小さい場合は、図１２（ａ）に示すように、当該上縁部Ｄ１が内側環状片６１の第三側壁６４に接触するように位置決めした後、多機能プレート１０を容器Ｄ側に押さえつけると、内側環状片６１は内側に弾性変形しながら容器上縁部Ｄ１の内面２３に密着するので、容器Ｄをほぼ密封状態とすることができる。
また、容器の上縁部Ｄ１の径が図１２（ａ）に示したものよりも少し大きい場合は、図１２（ｂ）に示すように、当該上縁部Ｄ１が内側環状片６１の第三側壁６４の上部、すなわち第二薄肉部４０近傍に接触するように位置決めした後、多機能プレート１０を容器側に押さえつけると、内側環状片６１は内側に弾性変形しながら容器上縁部Ｄ１の内面に密着するので、容器Ｄをほぼ密封状態とすることができる。
【００２３】
また、容器の上縁部Ｄ１の径が図１２（ｂ）に示したものよりも少し大きい場合には、図１１（ａ）及び図１２（ｃ）に示すように、多機能プレート１０の上下を図１２（ａ）及び（ｂ）の状態から逆転させて、外側環状片６０が上向きの山型になるようにすればよい。この場合、容器の上縁部Ｄ１が第二側壁６３に接触するように位置決めした後、多機能プレート１０を容器側に押さえつけると、外側環状片６０は内側に弾性変形しながら容器上縁部Ｄ１の内面に密着するので、容器をほぼ密封状態とすることができる。
また、容器の上縁部Ｄ１の径が図１２（ｃ）に示したものよりも更に大きい場合には、図１１（ｂ）及び図１２（ｄ）に示すように、再び多機能プレート１０の上下を図１２（ａ）及び（ｂ）の状態に戻し、外側環状片６０が下向きの山型になるようにすればよい。この場合、容器の上縁部Ｄ１が外側環状片６０の第一側壁６２に接触するように位置決めした後、多機能プレート１０を容器側に押さえつけると、外側環状片６０は内側に弾性変形しながら容器上縁部Ｄ１の内面に密着するので、容器Ｄをほぼ密封状態とすることができる。
このように、外側環状片６０又は内側環状片６１を弾性変形させながら容器上縁部Ｄ１に密着させるので、径が異なる様々な容器に対応可能な密封蓋として多機能プレート１０を利用できる。
この際に最も重要なのは、第一〜第三側壁６２〜６４を鉛直線Ｌに対して傾斜させると共に、下方に向かうにしたがって内側（本体部２０の中心軸側）に傾斜している側壁に対して容器の上縁部Ｄ１を接触させる点である。換言すると、容器の上縁部Ｄ１が、下方に向かって内側に傾斜している側壁と接触するように、使用者が折り畳んだ状態の多機能プレート１０の上下を適宜逆転させて使用する点である。下方に向かって内側に傾斜している側壁に容器上縁部Ｄ１を接触させた状態で多機能プレート１０を容器側に押さえつけることにより、当該側壁から容器上縁部Ｄ１の内面に対して外向きの力が作用し、側壁と容器上縁部Ｄ１の内面とが密着するからである。
【００２４】
［容器としての利用］
多機能プレート１０を容器として使用する場合は、所望のサイズとなるように例えば図１に示したように両薄肉部３０、４０を屈曲させずに使用したり、あるいは図１３に示すように、第一薄肉部３０を内面側が山、外面側が谷になるように屈曲させて使用すればよい。
この場合、平滑面が内側になるので、撥水性が高いというシリコーンゴムの特性を活かして、洗浄時に水分や油等の汚れを容易に落とすことができる。
【００２５】
［収納］
複数の多機能プレート１０を収納する際は、各多機能プレート１０をそれぞれ図６〜図８に示した第一薄肉部３０と第二薄肉部４０の両者を屈曲させた状態にした上で、重ね合わせて相互に押さえつければよい。この際に、上側の多機能プレート１０の外側環状片６０は下側の多機能プレート１０の外側環状片６０に嵌り込み、下側の多機能プレート１０の内側環状片６１は上側の多機能プレート１０の内側環状片６１に嵌り込むので、図１４に示すように上下方向の厚みを抑えた状態で収納できる。なお、３つ以上の多機能プレート１０も同様に重ね合わせて収納できる。
【００２６】
本実施の形態では本体部２０の底２２に台座５０を備えるものとしたが、台座５０はなくてもよい。
また、本体部２０の内面２３が平滑面であり、外面２４が粗面であるとしたが、内面２３と外面２４とを裏返しにすることで外面２４を平滑面とし、内面２３を粗面としてもよい。また、内外両面を共に平滑面としたり、あるいは共に粗面としてもよい。
また、多機能プレート１０の用途の一例として敷台、皿、蓋及び容器について説明したが、他の用途に使用してもよい。
また、本体部の形状を例えば水平面内での断面が三角形や四角形以上の多角形、あるいは楕円形状にしてもよく、更には本体部のサイズを例えば大、中、小などと複数パターン用意することにすれば、多種多様なプレート、すなわち敷台、皿、密封蓋、容器を得られる。
【産業上の利用可能性】
【００２７】
敷台、皿、密封蓋、容器など他用途に利用できるシリコーンゴム製のプレートに関するものであり、産業上の利用可能性を有する。
【符号の説明】
【００２８】
１０  多機能プレート
２０  本体部
２１  開口部
２２  底
２３  内面
２４  外面
２５  フランジ
３０  第一薄肉部
４０  第二薄肉部
５０  台座
６０  外側環状片
６１  内側環状片
６２  第一側壁
６３  第二側壁
６４  第三側壁
Ｌ  鉛直線
Ｄ  容器
【図１】
0003172214.tif 000003
【図２】
0003172214.tif 000004
【図３】
0003172214.tif 000005
【図４】
0003172214.tif 000006
【図５】
0003172214.tif 000007
【図６】
0003172214.tif 000008
【図７】
0003172214.tif 000009
【図８】
0003172214.tif 000010
【図９】
0003172214.tif 000011
【図１０】
0003172214.tif 000012
【図１１】
0003172214.tif 000013
【図１２】
0003172214.tif 000014
【図１３】
0003172214.tif 000015
【図１４】
0003172214.tif 000016